(57)【特許請求の範囲】
【請求項１】
遊技盤の前面でガイドレールにより囲まれた内側の遊技領域には、特定図柄可変表示装置と、遊技盤の前面側より取込まれた入賞球を遊技盤の前面側に排出する通過型の特定図柄始動入賞口装置と、入賞球の入りやすい形態に開く大入賞口を有するとともに遊技盤の前面側より取込まれた入賞球を遊技盤の裏側に排出する取込型の変動入賞口装置とが配置され、通過型の特定図柄始動入賞口装置が駆動機構により遊技盤に対し遊技盤の前面側からの入賞球の入賞を許可したり禁止し得るように駆動可能に設けられ、遊技盤の裏側または遊技盤を組付ける枠の裏側に設けられた制御装置は、通過型の特定図柄始動入賞口装置への入賞球の入賞または取込型の変動入賞口装置への入賞球の入賞ごとに賞球を遊技者側に払出すように球払出機構を駆動し、通過型の特定図柄始動入賞口装置への入賞球の入賞により特定図柄可変表示装置による特定図柄可変遊技を開始させ、特定図柄可変表示装置による特定図柄可変遊技の終了により停止した特定図柄が設定図柄に揃うと、取込型の変動入賞口装置の大入賞口を入賞球の入りやすい形態に開く大当り遊技を実行するとともに通過型の特定図柄始動入賞口装置への入賞球の入賞を禁止するように駆動機構を駆動し、大当り遊技の終了により通過型の特定図柄始動入賞口装置への入賞球の入賞を許可するように駆動機構を駆動することを特徴とするパチンコ機の入賞系統装置。
【請求項２】
遊技盤の前面でガイドレールにより囲まれた内側の遊技領域には、特定図柄可変表示装置と、遊技盤の前面側より取込まれた入賞球を遊技盤の前面側に排出する通過型の特定図柄始動入賞口装置と、入賞球の入りやすい形態に開く大入賞口を有するとともに遊技盤の前面側より取込まれた入賞球を遊技盤の裏側に排出する取込型の変動入賞口装置とが配置され、遊技盤の裏側または遊技盤を組付ける枠の裏側に設けられた制御装置は、通過型の特定図柄始動入賞口装置への入賞球の入賞または取込型の変動入賞口装置への入賞球の入賞ごとに賞球を遊技者側に払出すように球払出機構を駆動し、通過型の特定図柄始動入賞口装置への入賞球の入賞により特定図柄可変表示装置による特定図柄可変遊技を開始させ、特定図柄可変表示装置による特定図柄可変遊技の終了により停止した特定図柄が設定図柄に揃うと、取込型の変動入賞口装置の大入賞口を入賞球の入りやすい形態に開く大当り遊技を実行するとともに通過型の特定図柄始動入賞口装置への入賞球の入賞検出を無効とし、大当り遊技の終了により通過型の特定図柄始動入賞口装置への入賞球の入賞検出を有効とすることを特徴とするパチンコ機の入賞系統装置。
【発明の詳細な説明】
【０００１】
【発明の属する技術分野】
本発明は、パチンコ機の通過型入賞口装置を備えた入賞系統装置に関する。
【０００２】
【従来の技術】
特開昭５５−２４０２４号又は実開昭５５−７２９８６号公報には、パチンコ機の遊技盤に通過型入賞口装置を設けた入賞系統装置が開示されている。
【０００３】
【発明が解決しようとする課題】
しかし、前記特開昭５５−２４０２４号公報の入賞系統装置では、左右一対の通過型入賞検出器の対向間隔をソレノイドのようなアクチュエータで広くしたり狭くすることにより、対向間隔が広くなった場合に対向間隔が狭いときよりも球が入賞しやい状態を形成する構成であるため、通過型入賞検出器の対向間隔が広いと、対向間隔を２個の球が同時に通過し、通過型入賞検出器が２個の球を１個の球として検出した場合には、通過型入賞口装置への２個の入賞で１回の賞球払出となり、通過型入賞口装置への入賞とこれを起因とする賞球払出との関係が一対一に確保することができず、遊技性に欠けることは否めない。又、実開昭５５−７２９８６号公報の入賞系統装置では、或る１つの通過型入賞口装置に入賞して通過した球が他の１つの通過型入賞口装置に入賞した場合に、入賞数分だけ加算された数量の賞球が払出されてしまうので、遊技店側での出球管理を行う釘調整が容易でない。又、実開昭５５−７２９８６号公報の入賞系統装置では、大入賞口を備えた変動入賞口装置よりも上方に通過型入賞口装置を配置した場合、大当り中での大入賞口の開放中において、通過型入賞口装置に入賞して当該通過型入賞口装置から排出された後に大入賞口に入賞することが発生することがあり、このような入賞が発生すると、入賞と賞球払出との関係が一対一でなくなり、大当り中の出球にばらつきが生じて、遊技店側での出球管理が容易ではない。
【０００４】
そこで、本発明は、入賞と賞球払出との１対１との関係を確保して、遊技性を向上することができるパチンコ機の入賞系統装置を提供するものである。
【０００５】
【課題を解決するための手段】
本発明にあっては、遊技盤の前面でガイドレールにより囲まれた内側の遊技領域には、特定図柄可変表示装置と、遊技盤の前面側より取込まれた入賞球を遊技盤の前面側に排出する通過型の特定図柄始動入賞口装置と、入賞球の入りやすい形態に開く大入賞口を有するとともに遊技盤の前面側より取込まれた入賞球を遊技盤の裏側に排出する取込型の変動入賞口装置とが配置され、通過型の特定図柄始動入賞口装置が駆動機構により遊技盤に対し遊技盤の前面側からの入賞球の入賞を許可したり禁止し得るように駆動可能に設けられ、遊技盤の裏側または遊技盤を組付ける枠の裏側に設けられた制御装置は、通過型の特定図柄始動入賞口装置への入賞球の入賞または取込型の変動入賞口装置への入賞球の入賞ごとに賞球を遊技者側に払出すように球払出機構を駆動し、通過型の特定図柄始動入賞口装置への入賞球の入賞により特定図柄可変表示装置による特定図柄可変遊技を開始させ、特定図柄可変表示装置による特定図柄可変遊技の終了により停止した特定図柄が設定図柄に揃うと、取込型の変動入賞口装置の大入賞口を入賞球の入りやすい形態に開く大当り遊技を実行するとともに通過型の特定図柄始動入賞口装置への入賞球の入賞を禁止するように駆動機構を駆動し、大当り遊技の終了により通過型の特定図柄始動入賞口装置への入賞球の入賞を許可するように駆動機構を駆動するか、または、遊技盤の前面でガイドレールにより囲まれた内側の遊技領域には、特定図柄可変表示装置と、遊技盤の前面側より取込まれた入賞球を遊技盤の前面側に排出する通過型の特定図柄始動入賞口装置と、入賞球の入りやすい形態に開く大入賞口を有するとともに遊技盤の前面側より取込まれた入賞球を遊技盤の裏側に排出する取込型の変動入賞口装置とが配置され、遊技盤の裏側または遊技盤を組付ける枠の裏側に設けられた制御装置は、通過型の特定図柄始動入賞口装置への入賞球の入賞または取込型の変動入賞口装置への入賞球の入賞ごとに賞球を遊技者側に払出すように球払出機構を駆動し、通過型の特定図柄始動入賞口装置への入賞球の入賞により特定図柄可変表示装置による特定図柄可変遊技を開始させ、特定図柄可変表示装置による特定図柄可変遊技の終了により停止した特定図柄が設定図柄に揃うと、取込型の変動入賞口装置の大入賞口を入賞球の入りやすい形態に開く大当り遊技を実行するとともに通過型の特定図柄始動入賞口装置への入賞球の入賞検出を無効とし、大当り遊技の終了により通過型の特定図柄始動入賞口装置への入賞球の入賞検出を有効とすることを特徴としている。よって、本発明によれば、取込型の変動入賞口装置のおける大入賞口が入賞球の入りやすい形態に開いた遊技中は、通過型の特定図柄始動入賞口装置への入賞による賞球の払出しと特別図柄変動の開始とを中止する新規な遊技を提供することができ、又、入賞と賞球払出との１対１との関係を確保してパチンコ店側での出球管理が容易になる。
【０００６】
【発明の実施の形態】
図１及び図２は本発明の第１実施形態であって、図１は入賞系統装置の構成を示し、図２は入賞禁止許可のサブルーチンを示す。
【０００７】
図１において、遊技盤１の前面でガイドレール２により囲まれた内側の遊技領域には、通過型の普通入賞口装置３、通過型の普通図柄始動入賞口装置４、通過型の特定図柄始動入賞口装置５、センタ飾り６、普通図柄可変表示装置７、電動チューリップのような電動役物８、特定図柄可変表示装置９、変動入賞口装置１０、アウト口１１等が配置される。特定図柄始動入賞口装置５、特定図柄可変表示装置９、変動入賞口装置１０等の遊技盤１への配置は、上から下に、特定図柄可変表示装置９、特定図柄始動入賞口装置５、変動入賞口装置１０と配置される。普通入賞口装置３や普通図柄可変表示装置７或いは特定図柄始動入賞口装置５には図４乃至図７に示す通過型入賞口装置２０；３０；４０；５０の何れか１つが用いられる。普通図柄可変表示装置７はドットマトリクスや７セグメントのような表示器により形成される。特定図柄可変表示装置９は液晶やＬＥＤ又はＣＲＴ或いはプラズマディスプレイ等のような表示器により形成される。制御装置１２は、遊技盤の裏側又は遊技盤を組付ける図外の枠の裏側に設けられており、ＣＰＵとＲＯＭとＲＡＭとより成るマイクロコンピュータを備える。
【０００８】
そして、制御装置１２のマイクロコンピュータは、普通入賞口装置３や普通図柄始動入賞口装置４及び特定図柄始動入賞口装置５のそれぞれに設けられた図外の球検出器からの球検出信号が配線１３；１４；１５及び図外の入力インターフェースを介して入力すると、ＣＰＵがＲＯＭに設定されたプログラムに基づき、ＲＡＭを処理過程の記憶手段として入力処理・エラー処理・図柄制御処理・賞球制御処理・外部情報処理等の遊技全般の遊技処理を実行し、その処理結果により図外の出力インターフェースや配線１６；１７；１８；１９及び図外の配線を介して、普通図柄可変表示装置７、電動役物８、特定図柄可変表示装置９、変動入賞口装置１０、図外の球払出機構、図外の表示灯、図外のスピーカ、図外の球発射機構等の動作機構を制御する。
【０００９】
第１実施形態の場合、普通入賞口装置３への１個の入賞毎で１０個の賞球が球払出機構より払出され、普通図柄始動入賞口装置４への１個の入賞毎で７個の賞球が球払出機構より払出されると共に普通図柄可変表示装置７の図柄変動遊技が始まり、特定図柄始動入賞口装置５への１個の入賞毎で１５個の賞球が球払出機構より払出されると共に特定図柄可変表示装置９の図柄変動遊技が始まる。
【００１０】
普通図柄可変表示装置７による普通図柄可変遊技中に、普通図柄始動入賞口装置４に球が入賞した場合は、制御装置１２が普通図柄始動入賞口装置４の入賞を所定個数の範囲で記憶し、普通図柄可変表示装置７による１回の図柄可変遊技の終了後に、普通図柄可変表示装置７による普通図柄可変遊技が再開される。普通図柄可変表示装置７による１回の普通図柄可変遊技の終了毎に停止した普通図柄が予め定められた設定図柄に一致すると、普通電動役物８が開き、１回の普通図柄可変遊技が終了する。
【００１１】
特定図柄可変表示装置９による特定図柄可変遊技中に、特定図柄始動入賞口装置５に球が入賞した場合は、制御装置１２が特定図柄始動入賞口装置５の入賞を所定個数の範囲で記憶し、特定図柄可変表示装置９による１回の図柄可変遊技の終了後に、特定図柄可変表示装置９による特定図柄可変遊技が記憶数の範囲で繰り返される。
【００１２】
特定図柄可変表示装置９による１回の特定図柄可変遊技終了毎に停止した特定図柄が予め定められた設置図柄に一致する毎に、遊技状況は大当りモードとなり、変動入賞口装置１０の大入賞口１０ａは球が入りやすい形態に開く。変動入賞口装置１０は大入賞口とも呼ばれ、１個の入賞球が入る毎に、１５個の賞球が払出される。但し、変動入賞口装置１０は１回開いている間に入賞球が１０個入るか、又は、開き始めより３０秒のような所定時間経過するかの何れか１つの条件が成立すると、変動入賞口装置１０は閉じる。
【００１３】
大入賞口１０ａが開いた変動入賞口装置１０の開放中（以下、大入賞口開放中という）に、普通図柄始動入賞口装置４に入賞球が入賞した場合は、その入賞検出信号（球検出信号の入力）を制御装置１２が自分の内部で無効処理を実行する。
【００１４】
図２を参照し、前記制御装置１２における特定図柄始動入賞口装置５への入賞と特定図柄可変表示装置９による図柄可変遊技との制御処理について説明する。ステップ２０１〜２０３に示すように、制御装置１２は、特定図柄始動入賞口装置５への入賞後、特定図柄可変表示装置９による遊技モードが大当りモードになると、特定図柄始動入賞口装置５を入賞禁止にする。
【００１５】
そして、ステップ２０４〜２０６に示すように、制御装置１２は、変動入賞口装置１０を開にし、大入賞口１０ａの開扉後、１０カウント又は所定時間終了が成立すると、変動入賞口装置１０を閉にし、大入賞口１０ａを閉じる。引続き、ステップ２０７〜２０９に示すように、制御装置１２は、特定図柄始動入賞口装置５を入賞許可とした後、変動入賞開放の所定回数が成立すると、大当りモードを終了してサブルーチンの実行を終わる。
【００１６】
図３は本発明の第２実施形態に係る制御装置１２における入賞禁止許可のサブルーチンを示す。図３ではステップ３０３；３０７が図２のステップ２０３；２０７と異なる以外は図２の制御処理と同じである。つまり、第２実施形態では、大当りモードになると、特定図柄始動入賞口装置５の球検出器２７から入力された球検出信号を制御装置１２が無効として扱う処理を実行する。これによって、球検出器２７から制御装置１２には球検出信号が送信されるものの、制御装置１２では球検出信号を無効として扱って賞球を払出す制御を実行しない。そして、大当りモードが終了すると、制御装置１２は上記球検出信号無効をキャンセルして球検出信号を有効として扱う処理を実行する。これによって、球検出器２７から制御装置１２に球検出信号が送信されると、制御装置１２では球検出信号を有効として扱って賞球を払出す制御を実行する。
【００１７】
要するに、第１；第２実施形態によれば、特定図柄始動入賞口装置５に１個の球が入賞して特定図柄が設定図柄に揃った今回の大当り遊技中は、次の球の特定図柄始動入賞口装置５への入賞による球払出及び図柄可変遊技開始を中止し、今回の大当り遊技終了後に、次の球の特定図柄始動入賞口装置５への入賞による球払出及び図柄可変遊技を行う新規な遊技を提供することができる。
【００１８】
図１において、普通図柄始動入賞口装置４及び特定図柄始動入賞口装置５を図４〜図７の通過型入賞口装置２０；３０；４０；５０の何れかで形成し、普通図柄始動入賞口装置４又は特定図柄始動入賞口装置５への１回の入賞により球払出を行うと共に普通図柄可変遊技又は特定図柄可変遊技を開始し、変動入賞口装置１０の大入賞口１０ａが開放中は普通図柄始動入賞口装置４又は特定図柄始動入賞口装置５の入賞を禁止し、大入賞口１０ａの閉により普通図柄始動入賞口装置４又は特定図柄始動入賞口装置５への入賞を許可することも可能である。又、大当りモード中は大入賞口１０ａの開閉に関係なく普通図柄始動入賞口装置４又は特定図柄始動入賞口装置５への入賞を禁止しても良い。
【００１９】
図４〜図７は図１の普通入賞口装置３や普通図柄可変表示装置７或いは特定図柄始動入賞口装置５として用いられる通過型入賞口装置２０；３０；４０；５０を示す。
【００２０】
図４を参照し、通過型入賞口装置２０について説明する。遊技盤１には前後に貫通する挿入孔２１が形成され、挿入孔２１には通過型入賞口装置２０が前後移動可能に配置される。通過型入賞口装置２０では、遊技盤１に取付けられる合成樹脂製の外側の固定側装置本体２２と、挿入孔２１に挿入される合成樹脂製の内側の可動側装置本体２３とが、双方で凹凸に嵌め合されるガイド部２４；２５により遊技盤１の前後方向に移動可能なように、相互に組付けられる。
【００２１】
可動側装置本体２３の前部には上下に貫通する筒状の入賞口部２６を備える。入賞口部２６は球を遊技盤１の化粧盤面である前面側から取込み、その球を上方より下方に誘導して遊技盤１の前面側に排出する。入賞口部２６には球検出器２７が配置される。球検出器２７は上下に貫通する球検出孔２７ａと端子２７ｂとを備える。球検出孔２７ａは、入賞口部２６に配置されると共に、１個の球２８が通過可能であるが２個以上の球２８が同時に通過不可能な孔径である。固定側装置本体２２には駆動機構としてのソレノイドのようなアクチュエータ２９が取付けられる。アクチュエータ２９が遊技盤１の裏面側に配置され、アクチュエータ２９の可動出力端２９ａが可動側装置本体２３にピン２９ｂで連結されることにより、通過型入賞口装置２０は遊技盤１に対し挿入孔２１を経由して前後方向に駆動可能である。
【００２２】
この通過型入賞口装置２０は入賞口部２６がアクチュエータ２９により遊技盤１に対し球２８の入賞を許可禁止し得るように駆動可能に設けられた構造である。そして、図４のａ図に示すように、通過型入賞口装置２０がアクチュエータ２９により遊技盤１に対し前進して停止すると、入賞口部２６は遊技盤１の前面より突出して遊技盤１の前面を流下する球２８を矢印Ｘ１で示すように上方より取込むことが可能となる。この通過型入賞口装置２０の前進した状態において、球２８が入賞口部２６より球検出孔２７ａを通過する際に、球検出器２７が球２８を検出した信号を制御装置１２に端子２７ｂ及び配線２７ｃを経由して出力する。制御装置１２は球検出器２７からの球検出信号の入力によりアクチュエータ２９と図外の球払出機構とを制御する。制御装置１２とアクチュエータ２９とは配線２７ｄで接続されている。
【００２３】
この制御により、球払出機構が通過型入賞口装置２０への１回の入賞に対応する数の図外の球を賞球として遊技者側に払出す一方、図１のｂ図に示すように、通過型入賞口装置２０がアクチュエータ２９により遊技盤１に対し後退して停止することにより、入賞口部２６は遊技盤１の前面からの突出量が減少し遊技盤１の前面を流下する球２８を矢印Ｘ２で示すように上方より取込むことが不可能となる。上記通過型入賞口装置２０の後退した状態においては、制御装置１２が上記球検出信号の入力からの所定時間の経過によりアクチュエータ２９を制御し、通過型入賞口装置２０が図１のａ図に示すようにアクチュエータ２９により遊技盤１に対し前進して再び停止する。
【００２４】
図５を参照し、通過型入賞口装置３０について説明する。通過型入賞口装置３０は挿入孔２１に配置され、通過型入賞口装置３０の合成樹脂よりなる装置本体３１が遊技盤１に取付けられる。装置本体３１の前部に設けられた入賞口部２６には、球検出孔２７ａと端子２７ｂとを備えた球検出器２７が配置される。球検出器２７よりも下方において、装置本体３１には可動部材３２が配置される。可動部材３２には装置本体３１に取付けられたアクチュエータ２９の可動出力端２９ａがピン２９ｂで連結される。これによって、可動部材３２が入賞口部２６の中間部を開閉するように前後方向に駆動可能である。
【００２５】
この通過型入賞口装置３０は可動部材３２がアクチュエータ２９により入賞口部２６に対し球２８の入賞を許可禁止し得るように駆動可能に設けられた構造である。図５のａ図に示すように、可動部材３２がアクチュエータ２９により後退停止して入賞口部２６を開放すると、入賞口部２６が遊技盤１の前面を流下する球２８を矢印Ｘ３で示すように上方より取込んで下方に排出することが可能となる。そして、球２８が入賞口部２６より球検出孔２７ａを通過する際に、球検出器２７が球２８を検出した信号を制御装置１２に端子２７ｂ及び配線２７ｃを経由して出力することにより、制御装置１２が球検出器２７からの球検出信号の入力によりアクチュエータ２９と図外の球払出機構とを制御する。
【００２６】
この制御により、球払出機構が通過型入賞口装置３０への１回の入賞に対応する数の図外の球を賞球として遊技者側に払出す一方、図５のｂ図に示すように、可動部材３２がアクチュエータ２９により前進停止して入賞口部２６を閉鎖すると、遊技盤１の前面を流下する球２８を矢印Ｘ４で示すように入賞口部２６に上方より取込まれるが、当該球２８は可動部材３２で受止められて球検出孔２７ａに留置かれる。これによって、球検出器２７は立上がったままの検出信号を制御装置１２に出力することになる。このため、制御装置１２は可動部材３２で球検出孔２７ａに留置かれた球２８に対する賞球の払出制御を実行しない。そして、上記球検出孔２７ａに留置かれた球に対する球検出信号の入力からの所定時間の経過によりアクチュエータ２９を制御し、可動部材３２が図５のａ図に示すようにアクチュエータ２９により入賞口部２６に対し後退停止する。それから、上記可動部材３２で留置かれた球が球検出孔２７ａから落下する。この球の落下により、上記球検出器２７から制御装置１２に出力されていた立上がったままの検出信号が立下がることになる。このため、制御装置１２は上記可動部材３２で留置かれた球の落下により球払出機構を制御し、球払出機構が賞球を払出す。
【００２７】
図６を参照し、通過型入賞口装置４０について説明する。通過型入賞口装置４０は挿入孔２１に配置され、通過型入賞口装置４０の合成樹脂よりなる装置本体４１が遊技盤１に取付けられる。装置本体４１の前部に設けられた入賞口部２６には、球検出孔２７ａと端子２７ｂとを備えた球検出器２７が配置される。球検出器２７よりも上方において、装置本体５１には可動部材４２が配置される。可動部材４２には装置本体４１に取付けられたアクチュエータ２９の可動出力端２９ａがピン２９ｂで連結される。これによって、可動部材４２が入賞口部２６に球２８を取込めるか取込めないように入賞口部２６の入口側を開閉するように前後方向に駆動可能である。
【００２８】
通過型入賞口装置４０は可動部材４２がアクチュエータ２９により入賞口部２６に対し球２８の入賞を許可禁止し得るように駆動可能に設けられた構造である。よって、入賞禁止に際し、図５の通過型入賞口装置３０は入賞口部２６に取込んだ球２８を球検出孔２７ａに留置くが、図６の通過型入賞口装置４０は球２８が入賞口部２６に取込めないようになっている。つまり、図６に実線で示すように、可動部材４２がアクチュエータ２９により後退停止して入賞口部２６を開放すると、入賞口部２６が遊技盤１の前面を流下する球２８を矢印Ｘ５で示すように上方より取込んで下方に排出することが可能となる。そして、図６に仮想線で示すように、可動部材４２がアクチュエータ２９により前進停止して入賞口部２６を閉鎖すると、入賞口部２６には遊技盤１の前面を流下する球２８を取込むことはできない。
【００２９】
図７を参照し、通過型入賞口装置５０について説明する。通過型入賞口装置５０は挿入孔２１に配置され、通過型入賞口装置５０の合成樹脂よりなる装置本体５１が遊技盤１に取付けられる。装置本体５１の前部に設けられた入賞口部２６には、球検出孔２７ａと端子２７ｂとを備えた球検出器２７が配置される。球検出器２７には装置本体５１に取付けられたアクチュエータ２９の可動出力端２９ａがピン２９ｂで連結される。これによって、球検出器２７が球検出可能又は球検出不能となるように前後方向に駆動可能である。
【００３０】
通過型入賞口装置５０は球検出器２７がアクチュエータ２９により後退停止し、球検出孔２７ａと入賞口部２６との位置が前後にずれて、球が球検出孔２７ａを上方より下方に通過することができなくなると、球検出器２７が球検出信号を出力しない。
【００３１】
通過型入賞口装置２０；３０；４０；５０としては、遊技盤１の前面側より取込んだ球を遊技盤１の裏面側に誘導した後に遊技盤１の前面側に排出する形態であっても同様に適用できる。
【図面の簡単な説明】
【図１】本発明の第１実施形態の入賞系統装置を示す摸式図。
【図２】同第１実施形態のフローチャート。
【図３】本発明の第２実施形態のフローチャート。
【図４】本発明に用いた通過型入賞口装置を示す断面図。
【図５】本発明に用いた異なる通過型入賞口装置を示す断面図。
【図６】本発明に用いた別の通過型入賞口装置を示す断面図。
【図７】本発明に用いた更に別の通過型入賞口装置を示す断面図。
【符号の説明】
１  遊技盤
４  普通図柄始動入賞口装置（通過型）
５  特定図柄始動入賞口装置（通過型）
１０  変動入賞口装置（取込型）
１２  制御装置
２０；３０；４０；５０  通過型入賞口装置
２７  球検出器
２９  アクチュエータ
【図１】
0003597119.tif 000002
【図２】
0003597119.tif 000003
【図３】
0003597119.tif 000004
【図４】
0003597119.tif 000005
【図５】
0003597119.tif 000006
【図６】
0003597119.tif 000007
【図７】
0003597119.tif 000008